(57)【要約】【課題】従来よりも低コストで提供できるとともに、弱い力でも容易に開けられかつ閉鎖時に十分な閉鎖力を得られるようにする。【解決手段】構造物の開口部２０１に開閉自在に取り付けられたドア１００と、このドアの端部と開口部との隙間に設置された自動閉鎖開放維持機構とを備える。自動閉鎖開放維持機構は、一端が開口部に連結された荷重負荷手段（引張りバネ１４０）と、この荷重負荷手段の他端が連結されかつドアの開口部に所定の軸（ピン１５０）を中心に回動自在に取り付けられかつドアの一部と連結されたプレート１１０とを有する。荷重負荷手段によって印加された力によってプレートが軸周りに所定のモーメントを発生し、このモーメントがドアの開き具合に応じて、プレートとドアとが連結された部位においてドアを開放または閉鎖するように作用する。【選択図】図１
2006115920.tif 000002
【特許請求の範囲】
【請求項１】
構造物の開口部に開閉自在に取り付けられたドアと、このドアの端部と前記開口部との隙間に設置された自動閉鎖開放維持機構とを備え、
前記自動閉鎖開放維持機構は、一端が前記開口部に連結された荷重負荷手段と、この荷重負荷手段の他端が連結されかつ前記ドアの開口部に所定の軸を中心に回動自在に取り付けられかつ前記ドアの一部と連結されたプレートとを有し、前記荷重負荷手段によって印加された力によって前記プレートが前記軸周りに所定のモーメントを発生し、このモーメントが前記ドアの開き具合に応じて、前記プレートと前記ドアとが連結された部位において前記ドアを開放または閉鎖するように作用することを特徴とするドア構造。
【請求項２】
前記荷重負荷手段によって生じる力は、前記プレートが前記ドアの開口部に回動自在に連結された軸から所定の距離だけオフセットした位置で作用する請求項１に記載のドア構造。
【請求項３】
請求項１または２に記載のドア構造を備えたことを特徴とする保冷ショーケース。
【発明の詳細な説明】
【技術分野】
【０００１】
本発明は、ドア構造およびこれを用いた保冷ショーケースに関し、特にコンビニエンスストア等において商品（飲料や食料品等）の冷凍および／または冷蔵に用いられる保冷ショーケース、および自動閉鎖開放維持機構の取り付けられたドア構造に関する。
【背景技術】
【０００２】
従来より、コンビニエンスストア等で使用される冷蔵／冷凍ショーケース（以下、保冷ショーケースという）用のドアには、ショーケース内の温度上昇を防ぐために、ドアを開いてもその後自動的に閉鎖するように働く機構（自動閉鎖機構またはドアクローザ）が備えられている。また、店員による庫内への商品補充をし易くするため、ドアが完全に開いた状態では自動的に閉鎖しないように開放状態を維持させるための機構（開放維持機構）も備えられている。
【０００３】
【特許文献１】特開平６−２６３１８６号公報
【発明の開示】
【発明が解決しようとする課題】
【０００４】
しかしながら、これらの自動閉鎖機構および開放維持機構がそれぞれ別個の部品で構成されていたため、保冷ショーケースの部品のコストや取り付け工数が増大するといった問題があった。また、ドアを開き易くするためには、完全閉鎖に近い位置において十分に閉鎖力が強く、完全閉鎖からやや開いた位置において閉鎖力が弱くなることが望ましいといえるが、従来の自動閉鎖機構ではドアの開き具合にかかわらずほとんど差がなく、開ける際に大きな力を要するといった問題もあった。上記特許文献１には、保冷ショーケース用のドア構造として、ガススプリングを用いたものが開示されているが、構造が複雑であるため、部品コストの低減には限界があった。
【０００５】
本発明は、このような課題を解決するものであり、従来よりも低コストで提供できるとともに、弱い力でも容易に開けられかつ閉鎖時に十分な閉鎖力の得られるドア構造およびこれを用いた保冷ショーケースを提供することを目的とする。
【課題を解決するための手段】
【０００６】
以上の目的を達成するために本発明は、構造物の開口部に開閉自在に取り付けられたドアと、このドアの端部と前記開口部との隙間に設置された自動閉鎖開放維持機構とを備え、前記自動閉鎖開放維持機構は、一端が前記開口部に連結された荷重負荷手段と、この荷重負荷手段の他端が連結されかつ前記ドアの開口部に所定の軸を中心に回動自在に取り付けられかつ前記ドアの一部と連結されたプレートとを有し、前記荷重負荷手段によって印加された力によって前記プレートが前記軸周りに所定のモーメントを発生し、このモーメントが前記ドアの開き具合に応じて、前記プレートと前記ドアとが連結された部位において前記ドアを開放または閉鎖するように作用することを特徴とするドア構造を提供する。また、前記荷重負荷手段によって生じる力は、前記プレートが前記ドアの開口部に回動自在に連結された軸から所定の距離だけオフセットした位置で作用することが好ましい。さらに、本発明は、上記ドア構造を備えたことを特徴とする保冷ショーケースを提供する。
【発明の効果】
【０００７】
本発明は、非常にシンプルな構成でありながら自動閉鎖および開放維持の両機能を実現するとともに、従来よりも保冷ショーケースのコストを低減させることができる。また、本発明にかかるドア構造は、ドアの閉鎖状態において最大のモーメントを発生するため十分な閉鎖力を得ることができ、またドアが開くにつれてモーメントが減少するため開くのに要する力が徐々に弱くなって開き易いという利点がある。
【発明を実施するための最良の形態】
【０００８】
次に、本発明の一実施形態について説明する。
図１は、本発明に係るドア構造を説明するための上面図であり、ドア１００の上端部に設けられたドアの自動閉鎖開放維持機構の詳細を示す。実線はドア１００の完全閉鎖における位置を示し、一点鎖線のうちの一はドア１００を少し開いた位置を示し、一点鎖線のうちの他はドア１００を完全に開放した位置を示す。同図に示すように、本実施形態に係るドア構造は、端部がピン１３０に連結されかつ荷重負荷手段として機能する引張りバネ１４０と、この引張りバネ１４０の他端部がねじ１２０ａによって連結されかつ引張りバネ１４０で生じた力をプレート１１０の回動軸（ピン１５０）周りのモーメントへ変換するプレート１１０を備えている。
【０００９】
プレート１１０には長尺の貫通孔１１３が設けられており、この貫通孔１１３には、ドア１００の上端部に固定されたピン１６０がドア１００の開閉に伴って遊動できるように挿通されている。ドア１００は、図の上側をショーケースの庫内側、下側をショーケースの庫外側としてショーケース２００の開口部２０１に設置されている。また、ドア１００は、ドアヒンジの一部であるピン１２０を回動軸として、閉鎖時におけるドア１００の取り付け角度に対して約９０°の位置まで開くことができる。
【００１０】
なお、本実施の形態の変形例として、引張りバネ１４０の替わりにガススプリング（ピストンシリンダー方式の空気バネ）を用いたり、引張りバネ１４０の替わりに符号１３０ａの位置に圧縮バネを取り付けたりするなどしてもよい。また、ドア１００と開口部２０１との隙間に適宜ゴム性の封止材を設けるなどしてもよい（後述のその他の実施の形態についても同様である）。
【００１１】
図２は、図１のＩＩ−ＩＩ’線矢視図であり、同図に示すようにドア１００は、複層ガラス等のガラス板１０２の周縁にアルミ等の金属製サッシ１０１を取り付けた構造を有し、サッシ１０１の庫外側の面には、開閉動作の際に手で掴むための取っ手１０３が取り付けられている。上述のプレート１１０、開口部２０１に固定されたピン１３０、引張りバネ１４０、ピン１５０およびピン１６０は、自動閉鎖開放維持機構を構成している。これによってドア１００の開き具合は、所定開き角度以下において閉鎖するように作用し、所定角度を超えると開放状態を維持するように作用する。
【００１２】
ここで、プレート１１０の詳細について説明する。
図３（ａ）はプレートを示す上面図、同図（ｂ）はＢ−Ｂ’線断面図、および同図（ｃ）はＣ−Ｃ’線断面図である。上面視で略Ｌ字状のプレート１１０は、ステンレス合金等の金属で作られた厚さ１ｍｍ程度の金属板であり、ドア１００の開閉に際して十分なお剛性を有する部品である。また、プレート１１０は、その長辺部が揺動バー１１１を構成し、その短辺部がモーメントアーム１１２を構成している。揺動バー１１１にはその長手方向に沿って長尺の貫通孔１１３が設けられ、この貫通孔１１３にはドア１００のサッシ１０１に固定されたピン１６０が挿通されている。断面が円形のピン１６０は、その径が貫通孔１１３よりも若干小さく、ドア１００の開閉に伴って上記長手方向に遊動できるようになっている。
【００１３】
一方、モーメントアーム１１２の端部には、引張りバネ１４０を取り付けるためのねじ１１２ａが挿通する貫通孔（図示せず）が設けられ、揺動バー１１１とモーメントアーム１１２との付け根には、ショーケース２００の開口部２０１に固定されたピン１５０が挿通する貫通孔が設けられている。引張りバネ１４０は、ねじ１１２ａとそれに螺合するナット１１２ｂによってモーメントアーム１１２に連結されている。また、ピン１５０の下端部は、その直径がこの貫通孔よりも大きく形成され、プレート１１０がピン１５０から抜け落ちるのを防止している。
【００１４】
このように、図１に示すドア構造においては、ドア１００の閉鎖時においてピン１５０とピン１６０の距離が最も狭まるため最大のモーメントを発生し、ドア１００は十分な閉鎖力を得ることができる。次いで、ドア１００を徐々に開くと、ピン１５０とピン１６０との距離が徐々に長くなるため、ピン１５０回りに発生するモーメントも小さくなり、ドア１００の閉鎖力は弱くなる。その結果、ドア１００を開くのに要する力は、ドアを開くに連れて弱いもので済むようになり、楽にドア１００を開くことができる。また、ドア１００が全開の状態になるとねじ１１２ａの位置が、ピン１３０とピン１５０とを結ぶ直線よりも庫外側に移動するため、引張りバネ１４０によって生じる力は、モーメントアーム１１２に対してドア１００を開放する方向にモーメントを生じさせ、ドア１００の開放状態を維持できるようになる。
【００１５】
次に、本発明のその他の実施形態について説明する。
図４は、本発明に係るドア構造のその他の実施の形態を示す上面図である。実線はドア１００の完全閉鎖における位置を示し、一点鎖線のうちの一はドア１００を少し開いた位置を示し、一点鎖線のうちの他はドア１００を完全に開放した位置を示す。同図に示すように本実施形態は、揺動バー３１１とモーメントアーム３１２との成す角が９０°未満であること、およびモーメントアーム３１２に取り付けられた荷重負荷手段として圧縮バネ３４０を採用したことに特徴がある。このように９０°未満の成す角とすることで、自動閉鎖の機能は、ドア１００をわずかに開いた状態でのみ働き、大きく開いた状態では逆にドア１００を開放する方向に付勢力が働く。よって、ドア１００を少し開けるとその後は自動的にドア１００が開くため、開き易い点で有利である。
【００１６】
なお、本実施の形態では、圧縮バネ３４０を採用しているが、この圧縮バネ３４０の替わりに図１に示した位置に取り付けた引張りバネを用いてもよいことは明らかである。また、揺動バー３１１とモーメントアーム３１２との成す角は、ドア１００の大きさや形状またはその他の事情により適宜変更することができることは明らかである。
【００１７】
図５は、本発明に係るドア構造のその他の実施の形態を示す上面図である。実線はドア１００の完全閉鎖における位置を示し、一点鎖線のうちの一はドア１００を少し開いた位置を示し、一点鎖線のうちの他はドア１００をさらに開いた位置を示す。同図に示すように本実施形態は、揺動バー４１１に設けられた貫通孔４１３が途中で屈曲していることに特徴がある。本実施の形態では、庫内側に向けて角部が位置するように貫通孔４１３が屈曲している。これにより、ドアの開き具合が小さいときは、図１の場合よりも長尺の貫通孔４１３の傾斜角がドア１００の面に対してより平行に近い位置となるため、モーメントアーム４１２によって生じたモーメントが効率よくピン１６０に印加され、強力な閉鎖力を得ることができる。
【００１８】
一方、ピン１６０の位置が貫通孔４１３の屈曲部を通過して庫外側に移動すると、貫通孔４１３の傾斜角は当初の角度のよりも急峻なものとなってドア１００に印加される閉鎖力は一段と弱いものとなる。よって、ドアを開ける際においては、弱い力で済むようになるため好適である。なお、貫通孔４１３の形状は、ドア１００の大きさや形状等を考慮に入れるなどして適宜決定される。
【００１９】
図６（ａ）は本発明に係るドア構造のその他の実施の形態を示す上面図、および同図（ｂ）はガイドを示す斜視図である。実線はドア１００の完全閉鎖における位置を示し、一点鎖線はドア１００を完全に開放した位置を示す。同図に示すように本実施形態は、上面視で略Ｌ字状のプレート５１０に、図３で示したような貫通孔を設ける代わりに、ガイド１６０ａを用いて揺動バー５１１の位置を規制するようにしたことに特徴がある。ガイド１６０ａは矩形状の金属板の両端を、それぞれ同図（ｂ）に示すように折り曲げて作られた部品であり、その中央部には貫通孔（図示せず）が設けられ、ねじ１６０ｃがこの貫通孔を通してドア１００のサッシに回動自在に取り付けられている。また、揺動バー５１１の先端部近傍にはねじ孔（図示せず）が設けられ、このねじ孔にはねじ１６０ｂがその端部が少し出た状態で取り付けられている。
【００２０】
同図（ｂ）に示すように、ガイド１６０ａに揺動バー５１１が嵌ることにより、ドア１００の開閉に応じて揺動バー５１１はガイド１６０ａ内を摺動し、その際に揺動バー５１１の角度が変わってもそれに追従してガイド１６０ａの取り付け角度はねじ１６０ｃを回動軸として変化する。また、ドアを全開（図の一点鎖線）にして揺動バー５１１の先端部までガイド１６０ａが移動しても、揺動バー５１１に取り付けられたねじ１０６ｂの先端部がガイド１６０ａに当接し、ガイド１６０ａが揺動バー５１１から外れるのを防ぐ。また、ドア１００が全開の状態になるとねじ１１２ａの位置が、ピン１３０とピン１５０とを結ぶ直線よりも庫外側に移動するため、引張りバネ１４０によって生じる力は、モーメントアーム１１２に対してドア１００を開放する方向にモーメントを生じさせ、ドア１００の開放状態を維持できるようになる。
【００２１】
最後に図７（ａ）および（ｂ）は、本発明に係るドア構造のその他の実施の形態を示す平面図である。これらの図に示すように、プレートの形状は図３（ａ）に示したような略Ｌ字状のものに限られるものではなく、略矩形状のものであったり、略三角形状のものであったりしてもよい。要は引張りバネ１４０によって印加された力によってピン１２０周りにモーメントが発生し、それによってドア１００が開放または閉鎖するように作用すればよい。
【産業上の利用可能性】
【００２２】
以上説明したとおり、本発明に係るドア構造は従来品よりもシンプルであるため、安価に提供することができる。特に、自動閉鎖機構と開放維持機構の二つの機能を有するため、ドア構造および保冷ショーケースの部品点数を減らす上で好適である。また、本発明に係るドア構造は、保冷ショーケースのみならず、その他の用途（例えば住宅用若しくはその他建築物用ドア、家具の扉、または物品の保管／保存ケースの扉等）にも適用できることは明らかである。また、本発明に係る自動閉鎖開放維持機構は、ドアの上端部のみならず下端部に設けてもよい。
【図面の簡単な説明】
【００２３】
【図１】本発明に係るドア構造を説明するための上面図である。
【図２】図１のＩＩ−ＩＩ’線矢視図である。
【図３】（ａ）プレートを示す上面図、（ｂ）Ｂ−Ｂ’線断面図、および（ｃ）Ｃ−Ｃ’線断面図である。
【図４】本発明に係るドア構造のその他の実施の形態を示す上面図である。
【図５】本発明に係るドア構造のその他の実施の形態を示す上面図である。
【図６】（ａ）本発明に係るドア構造のその他の実施の形態を示す上面図、および（ｂ）ガイドを示す斜視図である。
【図７】（ａ）および（ｂ）本発明に係るドア構造のその他の実施の形態を示す平面図である。
【符号の説明】
【００２４】
１００：ドア
１０１：サッシ
１０２：ガラス板
１０３：取っ手
１１０：プレート
１１１：揺動バー
１１２：モーメントアーム
１１２ａ：ねじ
１１２ｂ:ナット
１１３：貫通孔
１２０、１３０、１３０ａ：ピン
１４０：引張りバネ
１５０、１６０：ピン
１６０ａ：ガイド
１６０ｂ、１６０ｃ：ねじ
２００：ショーケース
２０１:開口部
３１０：プレート
３１１：揺動バー
３１２：モーメントアーム
３１３：貫通孔
３４０：圧縮バネ
４１０：プレート
４１１：揺動バー
４１３：貫通孔
５１０：プレート
５１１：揺動バー
５１２：モーメントアーム
４４０：引張りバネ
６１０、７１０：プレート
６１３、７１３：貫通孔
【図１】
2006115920.tif 000003
【図２】
2006115920.tif 000004
【図３】
2006115920.tif 000005
【図４】
2006115920.tif 000006
【図５】
2006115920.tif 000007
【図６】
2006115920.tif 000008
【図７】
2006115920.tif 000009